(57)【要約】【課題】想定外の第三者に対する情報の漏洩を防止して、より安全かつ容易に情報を交換することが可能な携帯端末装置を提供する。【解決手段】接触または近接した人体の一部を介した人体通信を他の携帯端末装置と行なうことが可能な携帯端末装置は、人体通信によって、他の携帯端末装置により撮像された被写体の第１の顔画像を他の携帯端末装置から受信する受信手段と、携帯端末装置のユーザの第２の顔画像を記憶する記憶手段と、第１の顔画像と第２の顔画像とに基づいて、被写体が携帯端末装置のユーザであるか否かを判断する認証手段と、認証手段の判断結果に基づいて、人体通信によって携帯端末装置のユーザ情報を他の携帯端末装置に送信するユーザ情報送信手段とを備える。【選択図】図４
2016010136.tif 000002
【特許請求の範囲】
【請求項１】
接触または近接した人体の一部を介した人体通信を他の携帯端末装置と行なうことが可能な携帯端末装置であって、
人体通信によって、前記他の携帯端末装置により撮像された被写体の第１の顔画像を前記他の携帯端末装置から受信する受信手段と、
前記携帯端末装置のユーザの第２の顔画像を記憶する記憶手段と、
前記第１の顔画像と前記第２の顔画像とに基づいて、前記被写体が前記携帯端末装置のユーザであるか否かを判断する認証手段と、
前記認証手段の判断結果に基づいて、人体通信によって前記携帯端末装置のユーザ情報を前記他の携帯端末装置に送信するユーザ情報送信手段とを備える、携帯端末装置。
【請求項２】
前記受信手段は、前記他の携帯端末装置により計時された、現在時刻および現在日付の少なくとも一方を含む第１の計時情報をさらに受信し、
前記携帯端末装置は、
現在時刻および現在日付の少なくとも一方を含む第２の計時情報を計時する計時手段と、
前記第１の計時情報と前記計時手段により計時された第２の計時情報とが一致するか否かを判断する時刻判断手段とをさらに備え、
前記ユーザ情報送信手段は、前記第１および第２の計時情報が一致し、かつ前記被写体が前記携帯端末装置のユーザである場合に、人体通信によって前記携帯端末装置のユーザ情報を前記他の携帯端末装置に送信する、請求項１に記載の携帯端末装置。
【請求項３】
前記認証手段は、前記第１の顔画像から抽出された特徴量と前記第２の顔画像から抽出された特徴量とを比較することにより、前記被写体が前記携帯端末装置のユーザであるか否かを判断し、
前記特徴量は、顔の向きおよび顔表情のうち少なくとも１つを含む、請求項１に記載の携帯端末装置。
【請求項４】
前記第２の顔画像は、前記携帯端末装置のユーザの顔の向きが正面であり、当該ユーザの顔表情が笑顔である顔画像を含む、請求項２に記載の携帯端末装置。
【請求項５】
接触または近接した人体の一部を介した人体通信を行なうことが可能な第１の携帯端末装置および第２の携帯端末装置を備え、
前記第１の携帯端末装置は、
撮像手段と、
人体通信によって、前記撮像手段により撮像された被写体の第１の顔画像を送信する送信手段とを含み、
前記第２の携帯端末装置は、
人体通信によって、前記第１の顔画像を受信する受信手段と、
前記第２の携帯端末装置のユーザの第２の顔画像を記憶する記憶手段と、
前記第１の顔画像と前記第２の顔画像とに基づいて、前記被写体が前記第２の携帯端末装置のユーザであるか否かを判断する認証手段と、
前記認証手段の判断結果に基づいて、人体通信によって前記第２の携帯端末装置のユーザ情報を前記第１の携帯端末装置に送信するユーザ情報送信手段とを含む、情報処理システム。
【発明の詳細な説明】
【技術分野】
【０００１】
本開示は、携帯端末装置および情報処理システムに関し、特に、人体通信を行なうことが可能な携帯端末装置、および複数の携帯端末装置を含む情報処理システムに関する。
【背景技術】
【０００２】
近年、音声通話やメールのみならず、人体通信や近距離通信を用いて個人データの交換を行なう技術が提案されている。
【０００３】
たとえば、特開２０１０−１９３１２９号公報（特許文献１）は、電子名刺等の電気磁気的情報を容易かつ省電力で交換するための情報交換システムを開示している。情報交換システムは、名刺情報の交換に際して電界通信を用いることにより、相手の携帯端末の宛先情報等を設定しなくとも容易に電子名刺交換を行なうことを検討している。また、情報交換システムは、携帯端末の開閉状態やボタンのオンオフ状態に基づく場合のみ端末管理部を起動して名刺情報の交換を行ない、名刺交換が終了すれば休止状態に戻ることにより、電力消費を抑えることを検討している。
【先行技術文献】
【特許文献】
【０００４】
【特許文献１】特開２０１０−１９３１２９号公報
【発明の概要】
【発明が解決しようとする課題】
【０００５】
しかしながら、特許文献１に開示された技術では、たとえば、起動トリガー送信状態（携帯端末が開いたまま状態）になっている場合において、その携帯端末の使用者が想定外の第三者に接触したときには、その使用者の名刺情報が第三者の端末に送信され、個人の詳細情報が漏洩するという問題があった。
【０００６】
本発明は、上記のような問題点を解決するためになされたものであって、その目的は、想定外の第三者に対する情報の漏洩を防止して、より安全かつ容易に情報を交換することが可能な携帯端末装置、および情報処理システムを提供することである。
【課題を解決するための手段】
【０００７】
ある実施の形態に従うと、接触または近接した人体の一部を介した人体通信を他の携帯端末装置と行なうことが可能な携帯端末装置が提供される。携帯端末装置は、人体通信によって、他の携帯端末装置により撮像された被写体の第１の顔画像を他の携帯端末装置から受信する受信手段と、携帯端末装置のユーザの第２の顔画像を記憶する記憶手段と、第１の顔画像と第２の顔画像とに基づいて、被写体が携帯端末装置のユーザであるか否かを判断する認証手段と、認証手段の判断結果に基づいて、人体通信によって携帯端末装置のユーザ情報を他の携帯端末装置に送信するユーザ情報送信手段とを備える。
【０００８】
別の実施の形態に従うと、接触または近接した人体の一部を介した人体通信を行なうことが可能な第１の携帯端末装置および第２の携帯端末装置を備える情報処理システムが提供される。第１の携帯端末装置は、撮像手段と、人体通信によって、撮像手段により撮像された被写体の第１の顔画像を送信する送信手段とを含む。第２の携帯端末装置は、人体通信によって、第１の顔画像を受信する受信手段と、第２の携帯端末装置のユーザの第２の顔画像を記憶する記憶手段と、第１の顔画像と第２の顔画像とに基づいて、被写体が第２の携帯端末装置のユーザであるか否かを判断する認証手段と、認証手段の判断結果に基づいて、人体通信によって第２の携帯端末装置のユーザ情報を第１の携帯端末装置に送信するユーザ情報送信手段とを含む。
【発明の効果】
【０００９】
本発明によると、想定外の第三者に対する情報の漏洩を防止して、より安全かつ容易に情報を交換することが可能となる。
【図面の簡単な説明】
【００１０】
【図１】本実施の形態に従う情報処理システムの全体構成を示す図である。
【図２】本実施の形態に従う情報処理システムの動作概要（その１）を説明するための図である。
【図３】本実施の形態に従う情報処理システムの動作概要（その２）を説明するための図である。
【図４】本実施の形態に従う情報処理システムの動作を示すシーケンス図である。
【図５】本実施の形態に従う各携帯端末装置の機能ブロック図である。
【図６】各携帯端末装置の処理手順の一例（その１）を示すフローチャートである。
【図７】各携帯端末装置の処理手順の一例（その２）を示すフローチャートである。
【図８】図７中のステップＳ７６の判断処理の具体例を示すフローチャートである。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
＜システム概要＞
（全体構成）
図１は、本実施の形態に従う情報処理システム１０００の全体構成を示す図である。
【００１３】
情報処理システム１０００は、携帯端末装置１０Ａおよび携帯端末装置１０Ｂを含む。なお、説明の容易化のために、以下では、携帯端末装置１０Ａ，１０Ｂの各々に共通の構成や機能を説明する際には、それらを「携帯端末装置１０」とも総称する。
【００１４】
さらに、以下の説明では、携帯端末装置１０が日常的に着用可能なウェアラブルコンピュータである場合について説明する。具体的には、携帯端末装置１０は、ＨＭＤ（Head  Mount  Display））のような頭部に搭載する小型のディスプレイを備えた眼鏡型装置であるものとする。ただし、携帯端末装置１０は、たとえば、スマートフォン、タブレット端末装置、ＰＤＡ（Personal  Digital  Assistance）などであってもよい。
【００１５】
携帯端末装置１０Ａは、ＣＰＵ（Central  Processing  Unit）１１Ａと、人体通信部１２Ａと、メモリ１３Ａと、計時部１４Ａと、ディスプレイ１５Ａと、カメラ１６Ａとを含む。携帯端末装置１０Ｂは、ＣＰＵ１１Ｂと、人体通信部１２Ｂと、メモリ１３Ｂと、計時部１４Ｂと、ディスプレイ１５Ｂと、カメラ１６Ｂとを含む。
【００１６】
携帯端末装置１０Ａおよび１０Ｂのハードウェア構成は実質的に同じである。そのため、以下の説明では、ＣＰＵ１１Ａ，１１Ｂを「ＣＰＵ１１」、人体通信部１２Ａ，１２Ｂを「人体通信部１２」、メモリ１３Ａ，１３Ｂを「メモリ１３」、計時部１４Ａ，１４Ｂを「計時部１４」、ディスプレイ１５Ａ，１５Ｂを「ディスプレイ１５」、カメラ１６Ａ，１６Ｂを「カメラ１６」とそれぞれ総称する場合がある。
【００１７】
ＣＰＵ１１は、メモリ１３に記憶されたプログラムを読み出して実行することで、携帯端末装置１０の各部の動作を制御する。具体的には、ＣＰＵ１１は、当該プログラムを実行することにより、後述する携帯端末装置１０の処理（ステップ）の各々を実現する。
【００１８】
人体通信部１２は、相手先の携帯端末装置１０に送信するデータを、人体通信信号に変調し、アンテナ（図示しない）から送信するとともに、人体を介して伝搬された信号を同じアンテナで受信して、受信データに復調する。人体通信部１２は、ＣＰＵ１１からの指令に従って送受信に係る動作を実行する。
【００１９】
人体通信の通信方式は、信号の伝搬形式に着目すると、人体が大地に接地（グランド）することで形成される閉回路に電流を流す方式や、人体の誘電効果や空気中の静電結合などを利用して人体中に電磁波を伝搬させる方式などがあるが、いずれの方式を採用してもよい。人体通信部１２により、携帯端末装置１０は、接触または近接した人体の一部を介した人体通信を行なうことができる。
【００２０】
メモリ１３は、ＲＡＭ（Random  Access  Memory）、ＲＯＭ（Read-Only  Memory）、フラッシュメモリなどによって実現される。メモリ１３は、ＣＰＵ１１によって実行されるプログラム、またはＣＰＵ１１によって用いられるデータなどを記憶する。
【００２１】
計時部１４は、時刻ソース（たとえば、時刻サーバ、計時回路など）より現在時刻および現在日付のうち少なくとも一方を含む計時情報を取得する。たとえば、計時部１４は、ＧＰＳ（Global  Positioning  System）受信装置（図示しない）により受信されたＧＰＳ情報に含まれる時刻情報に基づいて自身の計時する時刻を補正する機能を有していてもよい。
【００２２】
ディスプレイ１５は、たとえば、液晶ディスプレイ、有機ＥＬディスプレイなどの表示デバイスである。
【００２３】
カメラ１６は、ＣＣＤ（Coupled  Charged  Device）やＣＭＯＳ（Complementary  Metal  Oxide  Semiconductor）センサなどの撮像センサ、撮像レンズ（以下、単に「レンズ」とも称する。）、レンズを駆動するためのレンズ駆動部、シャッターなどを含む。カメラ１６は、レンズを介して被写体の像を光電変換する撮像センサによって撮像画像を取得する。
【００２４】
なお、携帯端末装置１０は、ハードウェア構成として、ユーザからの指示を受け付けるためのボタン、携帯端末装置１０に対する発話を受け付けるマイク、音声を出力するためのスピーカ、Ｂｌｕｅｔｏｏｔｈ（登録商標）、無線ＬＡＮなどによる無線通信が可能な通信インターフェイス（Ｉ／Ｆ）、ディスプレイ上に設けられるタッチパネルなどを含んでいてもよい。
【００２５】
（動作概要）
次に、図２〜図４を参照して、情報処理システム１０００の動作概要について説明する。図２および図３は、本実施の形態に従う情報処理システム１０００の動作概要を説明するための図である。図４は、本実施の形態に従う情報処理システム１０００の動作を示すシーケンス図である。ここでは、ユーザＡ，Ｂの各々が携帯端末装置１０Ａ，１０Ｂを頭部に装着しており、握手などによりお互いが接触して、人体通信の伝送路が形成された状態を想定する。
【００２６】
図２は、携帯端末装置１０Ａから携帯端末装置１０Ｂへの名刺情報要求に対して、携帯端末装置１０ＢにおいてユーザＡの認証が成功し、ユーザＢの名刺情報が携帯端末装置１０Ｂから携帯端末装置１０Ａに送信される例を示している。これに対して、図３は、携帯端末装置１０Ａから携帯端末装置１０Ｂへの名刺情報要求に対して、携帯端末装置１０ＢにおいてユーザＡの認証が失敗し、ユーザＢの名刺情報が携帯端末装置１０Ｂから携帯端末装置１０Ａに送信されない例を示している。
【００２７】
ここでは、まず図２および図４を参照して、ユーザＢの名刺情報が携帯端末装置１０Ａに送信される場合の情報処理システム１０００の動作について説明する。なお、携帯端末装置１０Ａおよび１０Ｂは、人体通信を利用するモード、かつ名刺情報の交換を行なうモードに設定されているものとする。またこの例では、携帯端末装置１０Ａが名情報要求を送信する側の装置であり、携帯端末装置１０Ｂが名情報要求を受け取る側の装置である。さらに、計時部１４Ａおよび計時部１４Ｂは、計時情報として現在時刻を計時するものとする。
【００２８】
図２および図４を参照して、ユーザＡおよびユーザＢが握手をすると、携帯端末装置１０ＡのＣＰＵ１１Ａは、人体通信部１２Ａを介して携帯端末装置１０Ｂ（人体通信部１２Ｂ）に名刺情報要求を送信する（ステップＳ１０，Ｓ１２）。ＣＰＵ１１Ｂは、人体通信部１２Ｂを介して名刺情報要求を受信すると（ステップＳ１４）、認証情報要求を人体通信部１２Ｂを介して携帯端末装置１０Ａ（人体通信部１２Ａ）に送信する（ステップＳ１６，Ｓ１８）。
【００２９】
ＣＰＵ１１Ａは、人体通信部１２Ａを介して認証情報要求を受信すると（ステップＳ２０）、時刻情報要求を計時部１４Ａに送信し（ステップＳ２２）、計時部１４Ａにより計時されている現在時刻Ｄ１を取得する（ステップＳ２４）。ＣＰＵ１１Ａは、被写体を撮像するための撮像要求をカメラ１６Ａに送信し（ステップＳ２６）、カメラ１６Ａにより撮像された被写体の顔画像Ｐ１を取得する（ステップＳ２８）。ＣＰＵ１１Ａは、現在時刻Ｄ１および顔画像Ｐ１を人体通信部１２Ａを介して人体通信部１２Ｂに送信する（ステップＳ３０，Ｓ３２）。
【００３０】
ＣＰＵ１１Ｂは、人体通信部１２Ｂを介して現在時刻Ｄ１および顔画像Ｐ１を受信すると（ステップＳ３４）、時刻情報要求を計時部１４Ｂに送信し（ステップＳ３６）、計時部１４Ｂにより計時されている現在時刻Ｄ２を取得する（ステップＳ３８）。
【００３１】
ＣＰＵ１１Ｂは、現在時刻Ｄ１および現在時刻Ｄ２とが一致するか否かを判断する（ステップＳ４０）。ここでは、これらが一致すると判断されたものとする。さらに、ＣＰＵ１１Ｂは、カメラ１６Ｂにより撮像された被写体の顔画像Ｐ１と、メモリ１３Ｂに予め記憶されているユーザＢの顔画像Ｐ２とを照合して、その被写体がユーザＢと同一人物であるか否かを判断する（ステップＳ４２）。
【００３２】
たとえば、図２のように、被写体の顔画像Ｐ１から抽出される特徴量とユーザＢの顔画像Ｐ２から抽出される特徴量とが概ね一致する場合には、ＣＰＵ１１Ｂは、被写体がユーザＢと同一人物であると判断する。この場合、ＣＰＵ１１Ｂは、ユーザＡの認証が成功したと判断する。
【００３３】
これに対して、たとえば、図３のように、顔画像Ｐ１から抽出される特徴量（たとえば、顔の向きが横向き）とユーザＢの顔画像Ｐ２から抽出される特徴量（たとえば、顔の向きが正面）とが一致しない場合には、ＣＰＵ１１Ｂは、被写体がユーザＢと同一人物ではないと判断する。この場合、ＣＰＵ１１Ｂは、ユーザＡの認証が失敗したと判断する。
【００３４】
ユーザＡの認証が成功した場合には、ＣＰＵ１１Ｂは、ユーザＢの名刺情報を人体通信部１２Ｂを介して人体通信部１２Ａに送信する（ステップＳ４４，Ｓ４６）。そして、ＣＰＵ１１Ａは、人体通信部１２Ａを介してユーザＢの名刺情報を受信して（ステップＳ４８）、それをメモリ１３Ａに記憶する。
【００３５】
ユーザＡの認証が失敗した場合には、ＣＰＵ１１Ｂは、認証失敗の旨を示す認証ＮＧ通知を人体通信部１２Ｂを介して人体通信部１２Ａに送信する。そして、ＣＰＵ１１Ａは、人体通信部１２Ａを介して認証ＮＧ通知を受信する。したがって、このような場合には、ＣＰＵ１１Ａは、ユーザＢの名刺情報を受信することができない。
【００３６】
上記によると、携帯端末装置１０Ｂは、リアルタイムでユーザＢの顔画像が携帯端末装置１０Ｂから送信されない場合には、ユーザＢの名刺情報がユーザＡ側に送信しない。そのため、想定外の第三者に対する個人情報の漏洩を防止することができる。また、個人情報を交換したい場合には、お互いに握手等をするだけでよい。そのため、安全かつ容易に個人情報を相手と交換することができる。
【００３７】
＜機能構成＞
図５は、本実施の形態に従う携帯端末装置１０Ａ，１０Ｂの機能ブロック図である。なお、図５は、携帯端末装置１０ＡがユーザＢのユーザ情報を携帯端末装置１０Ｂに要求する端末として機能し、携帯端末装置１０Ｂが当該要求に応答する端末として機能する場合の各携帯端末装置１０の機能構成を示している。
【００３８】
なお、携帯端末装置１０Ｂがユーザ情報を要求する端末として機能し、携帯端末装置１０Ａが当該要求に応答する端末として機能する場合には、以下に説明する携帯端末装置１０Ａおよび携帯端末装置１０Ｂの機能構成が逆になることは言うまでもない。
【００３９】
図５を参照して、携帯端末装置１０ＡのＣＰＵ１１Ａは、主たる機能構成として、送信部１１０と、ユーザ情報受信部１６０とを含む。これらの機能は、主に、携帯端末装置１０ＡのＣＰＵ１１Ａがメモリ１３Ａに格納されたプログラムを実行し、携帯端末装置１０Ａの構成要素へ指令を与えることなどによって実現される。これらの機能構成の一部または全部はハードウェアで実現されていてもよい。
【００４０】
携帯端末装置１０ＢのＣＰＵ１１Ｂは、主たる機能構成として、受信部１２０と、判断部１３０と、認証部１４０と、ユーザ情報送信部１５０とを含む、これらの機能は、主に、ＣＰＵ１１Ｂがメモリ１３Ｂに格納されたプログラムを実行し、携帯端末装置１０Ｂの構成要素へ指令を与えることなどによって実現される。これらの機能構成の一部または全部はハードウェアで実現されていてもよい。
【００４１】
送信部１１０は、人体通信部１２Ｂを介して、カメラ１６Ａにより撮像された被写体の顔画像Ｐ１と、計時部１４Ａにより計時された計時情報Ｘ１とを携帯端末装置１０Ｂ（人体通信部１２Ｂ）に送信する。計時情報Ｘ１は、計時部１４Ａにより計時された現在時刻Ｄ１および現在日付のうち少なくとも一方を含む。
【００４２】
受信部１２０は、人体通信部１２Ａを介して、携帯端末装置１０Ａ（送信部１１０）から送信された顔画像Ｐ１と計時情報Ｘ１とを受信する。受信部１２０は、計時情報Ｘ１を判断部１３０に入力し、顔画像Ｐ１を認証部１４０に入力する。
【００４３】
判断部１３０は、計時情報Ｘ１と、計時部１４Ｂにより計時された計時情報Ｘ２とが一致するか否かを判断する。計時情報Ｘ２は、計時部１４Ｂにより計時された現在時刻Ｄ２および現在日付のうち少なくとも一方を含む。
【００４４】
具体的には、計時情報Ｘ１，Ｘ２がそれぞれ現在時刻Ｄ１，Ｄ２のみを含む場合には、判断部１３０は、現在時刻Ｄ１と現在時刻Ｄ２とが一致するか否かを判断する。現在時刻Ｄ１と現在時刻Ｄ２とが一致するとは、これらの差が、ある程度の範囲（たとえば、分単位まで同じ）に収まっていることを含む。また、計時情報Ｘ１，Ｘ２がそれぞれ現在日付のみを含む場合には、判断部１３０は、計時情報Ｘ１に含まれる現在日付と、計時情報Ｘ２に含まれる現在日付とが一致するか否かを判断する。
【００４５】
さらに、計時情報Ｘ１が現在時刻Ｄ１および現在日付の両方（つまり、現在日時）を含み、計時情報Ｘ２も現在時刻Ｄ２および現在日付の両方を含む場合には、判断部１３０は、現在時刻Ｄ１と現在時刻Ｄ２とが一致し、かつ計時情報Ｘ１に含まれる現在日付と計時情報Ｘ２に含まれる現在日付とが一致するか否かを判断する。なお、この場合、判断部１３０は、現在時刻または現在日付のいずれか一方のみを比較する構成であってもよい。
【００４６】
判断部１３０は、計時情報Ｘ１と計時情報Ｘ２とが一致するか否かの判断結果をユーザ情報送信部１５０に入力する。
【００４７】
認証部１４０は、顔画像Ｐ１と、メモリ１３Ｂに記憶されている携帯端末装置１０ＢのユーザＢの顔画像Ｐ２とに基づいて、被写体がユーザＢ（と同一人物）であるか否かを判断する。具体的には、認証部１４０は、顔画像Ｐ１から抽出された特徴量と顔画像Ｐ２から抽出された特徴量とを比較することにより、被写体がユーザＢであるか否かを判断する。特徴量は、顔の向きおよび顔表情のうち少なくとも１つを含む。
【００４８】
顔の向きは、回転の大きさ、上下の傾き、左右の傾きに基づいて抽出される。回転の大きさ、上下の傾き、左右の傾きの算出方式は３次元顔モデルを顔画像にフィットさせて判定する方式など公知の技術を用いてもよい。また、顔表情は、目・鼻・口の位置や形などに基づいて抽出され、その抽出方式については公知の技術を用いてもよい。さらに、特徴量は、目、鼻、口および輪郭といった顔の各部分についての形や大きさなどを含んでいてもよい。
【００４９】
たとえば、認証部１４０は、顔画像Ｐ１の特徴量と顔画像Ｐ２の特徴量との一致度を算出し、当該一致度が予め定められた値以上となった場合には、被写体とユーザＢとが一致すると判断する。認証部１４０は、判断結果をユーザ情報送信部１５０に入力する。
【００５０】
ユーザ情報送信部１５０は、判断部１３０により計時情報Ｘ１および計時情報Ｘ２が一致すると判断され、かつ認証部１４０により被写体がユーザＢであると判断された場合に、人体通信部１２Ｂを介して、ユーザＢのユーザ情報を携帯端末装置１０Ａ（人体通信部１２Ａ）に送信する。たとえば、ユーザ情報は、名前、肩書き、雇用者、住所、および連絡先情報などを含む名刺情報である。なお、ユーザ情報は、自身の写真画像を含んでいてもよい。
【００５１】
なお、ユーザ情報送信部１５０は、計時情報を考慮せずに、認証部１４０の判断結果に基づいて、人体通信によってユーザＢのユーザ情報を携帯端末装置１０Ａに送信してもよい。具体的には、ユーザ情報送信部１５０は、認証部１４０により被写体がユーザＢであると判断された場合には、ユーザＢのユーザ情報を携帯端末装置１０Ａに送信する。
【００５２】
ユーザ情報受信部１６０は、人体通信部１２Ａを介して、携帯端末装置１０Ａ（ユーザ情報送信部１５０）から送信されたユーザ情報を受信する。ユーザ情報受信部１６０は、当該ユーザ情報をメモリ１３Ａに記憶する。
【００５３】
＜処理手順＞
図６および図７は、携帯端末装置１０Ａおよび携帯端末装置１０Ｂの処理手順の一例を示すフローチャートである。以下の各ステップは、携帯端末装置１０Ａ，１０Ｂの各々のＣＰＵ１１Ａ，１１Ｂが各々のメモリ１３Ａ，１３Ｂに格納されたプログラムを実行することによって実現される。ここでは、説明の容易化のため、計時部１４Ａにより計時された現在時刻Ｄ１と、計時部１４Ｂにより計時された現在時刻Ｄ２とを比較する場合について説明する。
【００５４】
ここでは、図２に示すように、ユーザＡ，Ｂの各々が携帯端末装置１０Ａ，１０Ｂを頭部に装着しており、握手などによりお互いが接触して、人体通信の伝送路が形成されているものとする。
【００５５】
図６を参照して、携帯端末装置１０ＡのＣＰＵ１１Ａは、人体通信部１２Ａを介して名刺情報要求を携帯端末装置１０Ｂに送信する（ステップＳ５０）。
【００５６】
携帯端末装置１０ＢのＣＰＵ１１Ｂは、当該名刺情報要求を受信すると（ステップＳ５２）、携帯端末装置１０ＢがユーザＢの名刺情報を送信可能な状態か否かを判断する（ステップＳ５４）。たとえば、当該送信可能な状態とは、携帯端末装置１０Ｂが名刺情報の交換を行なうモードに設定されている状態である。当該モードの設定は、ボタンなどを介してユーザの指示を受け付けることにより行われる。
【００５７】
携帯端末装置１０Ｂが当該送信可能な状態ではない場合には（ステップＳ５４においてＮＯ）、ＣＰＵ１１Ｂは、人体通信部１２Ｂを介して名刺情報要求に対して応答できない旨（要求ＮＧ応答）を送信して（ステップＳ５６）、処理を終了する。この場合、ＣＰＵ１１Ａは、人体通信部１２Ａを介して要求ＮＧ応答を受信して、処理を終了する。
【００５８】
一方、携帯端末装置１０Ｂが当該送信可能な状態である場合には（ステップＳ５４においてＹＥＳ）、ＣＰＵ１１Ｂは、人体通信部１２Ｂを介して、認証情報要求を携帯端末装置１０Ａに送信する（ステップＳ５８）。具体的には、ＣＰＵ１１Ｂは、携帯端末装置１０ＡのユーザＡを認証するための認証情報を携帯端末装置１０Ａに対して要求する。
【００５９】
ＣＰＵ１１Ａは、人体通信部１２Ａを介して、認証情報要求を受信すると（ステップＳ６０）、計時部１４Ａから現在時刻Ｄ１を取得する（ステップＳ６２）。続いて、ＣＰＵ１１Ａは、カメラ１６Ａに撮像指示を出力し、当該指示に従って撮像された被写体の顔画像Ｐ１をカメラ１６Ａから取得する（ステップＳ６４）。ＣＰＵ１１Ａは、人体通信部１２Ａを介して、現在時刻Ｄ１および顔画像Ｐ１を携帯端末装置１０Ｂに送信する（ステップＳ６６）。ＣＰＵ１１Ｂは、人体通信部１２Ｂを介して、現在時刻Ｄ１および顔画像Ｐ１を受信する（ステップＳ６８）。
【００６０】
図７を参照して、ＣＰＵ１１Ｂは、計時部１４Ｂから現在時刻Ｄ２を取得する（ステップＳ７０）。ＣＰＵ１１Ｂは、現在時刻Ｄ１と現在時刻Ｄ２とが一致するか否かを判断する（ステップＳ７２）。これらが一致しない場合には（ステップＳ７２においてＮＯ）、ＣＰＵ１１Ｂは、人体通信部１２Ｂを介して認証ＮＧ応答を送信して（ステップＳ８２）、処理を終了する。この場合、ＣＰＵ１１Ａは、人体通信部１２Ａを介して認証ＮＧ応答を受信して、処理を終了する。
【００６１】
これらが一致する場合には（ステップＳ７２においてＹＥＳ）、ＣＰＵ１１Ｂは、メモリ１３Ｂに記憶されているユーザＢの顔画像Ｐ２を取得する（ステップＳ７４）。ＣＰＵ１１Ｂは、顔画像Ｐ１および顔画像Ｐ２に基づいて、被写体がユーザＢか否かを判断する（ステップＳ７６）。具体的には、図８に示すような処理手順により当該判断を行なう。
【００６２】
図８は、図７中のステップＳ７６の判断処理の具体例を示すフローチャートである。ここでは、顔画像Ｐ２は、ユーザＢの顔の向きが正面であり、顔表情が笑顔の顔画像であるとする。
【００６３】
図８を参照して、まず、ＣＰＵ１１Ｂは、特徴量として、顔画像Ｐ１および顔画像Ｐ２から顔の向きを抽出する（ステップＳ１００）。顔画像Ｐ２から抽出される顔の向きは正面であるため、ＣＰＵ１１Ｂは、顔画像Ｐ１から抽出される被写体の顔の向きが正面か否かを判断する（ステップＳ１０２）。たとえば、顔画像が顔の特徴器官（両目、鼻、口）をすべて含んでおり、所定の条件（回転角度が９５°以下、上下傾き角度が５°以下、左右傾き角度が５°以下などの条件）を満足する場合には、その顔画像から抽出される顔の向きは正面であると判断される。
【００６４】
顔の向きが正面ではない場合には（ステップＳ１０２においてＮＯ）、ＣＰＵ１１Ｂは、被写体がユーザＢではないと判断する（ステップＳ１０４）。顔の向きが正面である場合（ステップＳ１０２においてＹＥＳ）、ＣＰＵ１１Ｂは、特徴量として、顔画像Ｐ１および顔画像Ｐ２から顔表情を抽出する（ステップＳ１０６）。顔画像Ｐ２から抽出される顔表情は笑顔であるため、ＣＰＵ１１Ｂは、顔画像Ｐ１から抽出される被写体の顔表情が笑顔か否かを判断する（ステップＳ１０８）。たとえば、顔画像から目尻が下がり、口角が上がっている顔表情が抽出された場合には、その顔画像における人物の顔表情は笑顔であると判断される。
【００６５】
当該顔表情が笑顔ではない場合には（ステップＳ１０８においてＮＯ）、ＣＰＵ１１Ｂは、被写体がユーザＢではないと判断する（ステップＳ１０４）。当該顔表情が笑顔である場合（ステップＳ１０８においてＹＥＳ）、ＣＰＵ１１Ｂは、特徴量として、顔画像Ｐ１および顔画像Ｐ２から顔の形および大きさを抽出する（ステップＳ１１０）。ＣＰＵ１１Ｂは、顔画像Ｐ１および顔画像Ｐ２から抽出される各々の顔の形および大きさが一致するか否かを判断する（ステップＳ１１２）。具体的には、ＣＰＵ１１Ｂは、顔の形および大きさの一致度を算出し、当該一致度が予め定められた値以上の場合にはこれらが一致すると判断する。
【００６６】
顔の形および大きさが一致しない場合には（ステップＳ１１２においてＮＯ）、ＣＰＵ１１Ｂは、被写体がユーザＢではないと判断する（ステップＳ１０４）。顔の形および大きさが一致する場合には（ステップＳ１１２においてＹＥＳ）、ＣＰＵ１１Ｂは、被写体がユーザＢであると判断する（ステップＳ１１４）。
【００６７】
上記では、ＣＰＵ１１Ｂが、ステップＳ１００において顔画像Ｐ１および顔画像Ｐ２の両方から顔の向きを抽出してステップＳ１０４の判断を行なう場合について説明した。しかし、ＣＰＵ１１Ｂは、顔画像Ｐ１からのみ顔の向きを抽出し、当該顔の向きが正面ではない場合には、被写体がユーザＢではないと判断してもよい。
【００６８】
また、ＣＰＵ１１Ｂが、ステップＳ１０６において顔画像Ｐ１および顔画像Ｐ２の両方から顔表情を抽出してステップＳ１０８の判断を行なう場合について説明した。しかし、ＣＰＵ１１Ｂは、顔画像Ｐ１からのみ顔表情を抽出し、当該顔表情が笑顔ではない場合には、被写体がユーザＢではないと判断してもよい。
【００６９】
再び、図７を参照して、ＣＰＵ１１Ｂは、被写体がユーザＢではないと判断した場合には（ステップＳ７６においてＮＯ）、人体通信部１２Ｂを介して認証ＮＧ応答を送信して（ステップＳ８２）、処理を終了する。ＣＰＵ１１Ｂは、被写体がユーザＢであると判断した場合には（ステップＳ７６においてＹＥＳ）、メモリ１３ＢからユーザＢの名刺情報を取得して（ステップＳ７８）、人体通信部１２Ｂを介して当該名刺情報を携帯端末装置１０Ａに送信して（ステップＳ８０）、処理を終了する。
【００７０】
ＣＰＵ１１Ａは、人体通信部１２Ａを介して名刺情報を受信し（ステップＳ８４）、受信した名刺情報をメモリ１３Ａに記憶して（ステップＳ８６）、処理を終了する。
【００７１】
＜その他の実施の形態＞
なお、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００７２】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【００７３】
＜実施の形態の効果＞
本実施の形態によると、各々の携帯端末装置を所持した各ユーザが握手などにより接触することにより容易に名刺情報を交換できる。
【００７４】
また、相手の個人情報を取得するためには、撮像した顔画像を相手に送信しなければならないため、意図しない個人情報の交換を回避することができる。また、計時情報を取得してリアルタイムの顔画像か否かも判断することにより、より効果的に意図しない個人情報の交換を回避することができる。
【００７５】
また、カメラで撮像した相手の顔画像が正面を向いていない場合には、相手の名刺情報を取得することができない。つまり、お互い対面した状態で接触していない場合には名刺情報は交換されないため、想定外の第三者との接触による個人情報の漏洩を防止することができる。
【００７６】
また、カメラで撮像した相手の顔画像が笑顔でない場合には、相手の名刺情報を取得することができない。これにより、想定外の第三者との接触による個人情報の漏洩をさらに効果的に防止することができる。
【００７７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７８】
１０Ａ，１０Ｂ  携帯端末装置、１１Ａ，１１Ｂ  ＣＰＵ、１２Ａ，１２Ｂ  人体通信部、１３Ａ，１３Ｂ  メモリ、１４Ａ，１４Ｂ  計時部、１５Ａ，１５Ｂ  ディスプレイ、１６Ａ，１６Ｂ  カメラ、１１０  送信部、１２０  受信部、１３０  判断部、１４０  認証部、１５０  ユーザ情報送信部、１６０  ユーザ情報受信部、１０００  情報処理システム。
【図１】
2016010136.tif 000003
【図２】
2016010136.tif 000004
【図３】
2016010136.tif 000005
【図４】
2016010136.tif 000006
【図５】
2016010136.tif 000007
【図６】
2016010136.tif 000008
【図７】
2016010136.tif 000009
【図８】
2016010136.tif 000010